(57)【要約】【課題】かご室の側面などに結露が発生したとき、冷房装置を停止、または送風運転に切替えて、かご室の側面などの結露を解消する。【解決手段】かご室の側板などに、結露センサ３を取付け、かご室の側面などに結露が発生したとき、結露センサ３からの検知信号を取り込んでいる結露検出回路５ａによって、これを検出させて、結露対応回路６ａを動作させ、冷房装置２を停止、または送風運転に切替える。【選択図】図１
2007076826.tif 000002
【特許請求の範囲】
【請求項１】
かご室に冷房装置を備えたエレベータシステムにおいて、
前記かご室内、またはかご室外に設けられる結露センサと、
この結露センサからの結露検知信号が結露を示しているとき、前記冷房装置の運転を停止または結露解消運転に切り替える制御手段と、
を備えたことを特徴とするエレベータシステム。
【請求項２】
かご室に冷房装置を備えたエレベータシステムにおいて、
昇降路の内外に各々、設けられる複数の結露センサと、
昇降路内に設けられた結露センサからの結露検知信号が昇降路内側の結露を示しているとき、昇降路に設けられた吸気装置を制御して外気を取り込ませる動作、または昇降路に設けられた排気装置を制御して昇降路内の空気を排気させる動作のうち、少なくともいずれか一方を実行する制御手段と、
を備えたことを特徴とするエレベータシステム。
【請求項３】
かご室に冷房装置を備えたエレベータシステムにおいて、
前記かご室内、またはかご室外に設けられるかご結露センサと、
昇降路内の下階から上階までのうち、数箇所に設けられる複数の昇降路内結露センサと、
前記かご結露センサからの結露検知信号が結露を示しているとき、前記各昇降路内結露センサからの結露検知信号を解析して、結露発生が最も少ない階にかご室を移動させ、待機運転させる制御手段と、
を備えたことを特徴とするエレベータシステム。
【請求項４】
かご室に冷房装置を備えたエレベータシステムにおいて、
前記かご室外に設けられるかご結露センサと、
前記かご室の昇降が所定時間以上に渡って停止し、かつ前記かご結露センサからの結露検知信号が結露を示しているとき、前記かご室の自動昇降運転を開始させる制御手段と、
を備えたことを特徴とするエレベータシステム。
【請求項５】
かご室に冷房装置を備えたエレベータシステムにおいて、
かご室内またはかご室外に設けられる結露センサと、
かご室側板、または天井、あるいはガラスの少なくともいずれかに取り付けられるヒータと、
前記結露センサからの結露検知信号が結露を示しているとき、前記ヒータを発熱させる制御手段と、
を備えたことを特徴とするエレベータシステム。
【請求項６】
請求項５に記載のエレベータシステムにおいて、
前記ヒータは、前記側板、天井およびガラスに内蔵される、
ことを特徴とするエレベータシステム。
【請求項７】
かご室に冷房装置を備えたエレベータシステムにおいて、
前記かご室外に設けられる結露センサと、
この結露センサからの結露検知信号が結露を示しているとき、昇降路内に設置された除湿装置を運転させる制御手段と、
を備えたことを特徴とするエレベータシステム。
【発明の詳細な説明】
【技術分野】
【０００１】
本発明は、かご室内、あるいはかご室外に生じた結露を速やかに解消するエレベータシステムに関する。
【背景技術】
【０００２】
ビルなどに設けられるエレベータシステムとして、かご室に冷房装置を設け、夏場などにおいても、かご室内の温度を快適な温度に保つようにしたものが開発されている。
【０００３】
ところで、このようなかご室に冷房装置を取り付けた従来のエレベータシステムでは、かご室内と、かご室外との温度差により、かご室内、かご室外などに結露が発生することがある。
【０００４】
そこで、このような問題を解決する方法として、従来、かご室内外の結露が発生し易い箇所の全てに、断熱材を貼付する結露防止法が提案されている。
【特許文献１】特開平１１−２９２６９号公報
【特許文献２】特開２０００−１６７１４号公報
【発明の開示】
【発明が解決しようとする課題】
【０００５】
しかしながら、かご室内外の結露が発生し易い箇所の全てに、断熱材を貼付するような結露防止方法では、かご室内外の結露が発生し易い箇所の全てに、断熱材を貼付しなければならず、断熱材の取り付けに多大な時間と、手間とがかかってしまうばかりでなく、かご室の天井、ガラス部分など、意匠を重視する箇所には貼付することができないという問題があった。
【０００６】
本発明は上記の事情に鑑み、かご室の意匠の制約を受けることなく、効果的な結露対策をすることのできるエレベータシステムを提供することを目的としている。
【課題を解決するための手段】
【０００７】
上記の目的を達成するために本発明は、請求項１では、かご室に冷房装置を備えたエレベータシステムにおいて、前記かご室内、またはかご室外に設けられる結露センサと、
この結露センサからの結露検知信号が結露を示しているとき、前記冷房装置の運転を停止または結露解消運転に切り替える制御手段とを備えたことを特徴としている。
【０００８】
請求項２では、かご室に冷房装置を備えたエレベータシステムにおいて、昇降路の内外に各々、設けられる複数の結露センサと、昇降路内に設けられた結露センサからの結露検知信号が昇降路内側の結露を示しているとき、昇降路に設けられた吸気装置を制御して外気を取り込ませる動作、または昇降路に設けられた排気装置を制御して昇降路内の空気を排気させる動作のうち、少なくともいずれか一方を実行する制御手段とを備えたことを特徴としている。
【０００９】
請求項３では、かご室に冷房装置を備えたエレベータシステムにおいて、前記かご室内、またはかご室外に設けられるかご結露センサと、昇降路内の下階から上階までのうち、数箇所に設けられる複数の昇降路内結露センサと、前記かご結露センサからの結露検知信号が結露を示しているとき、前記各昇降路内結露センサからの結露検知信号を解析して、結露発生が最も少ない階にかご室を移動させ、待機運転させる制御手段とを備えたことを特徴としている。
【００１０】
請求項４では、かご室に冷房装置を備えたエレベータシステムにおいて、前記かご室外に設けられるかご結露センサと、前記かご室の昇降が所定時間以上に渡って停止し、かつ前記かご結露センサからの結露検知信号が結露を示しているとき、前記かご室の自動昇降運転を開始させる制御手段とを備えたことを特徴としている。
【００１１】
請求項５では、かご室に冷房装置を備えたエレベータシステムにおいて、かご室内またはかご室外に設けられる結露センサと、かご室側板、または天井、あるいはガラスの少なくともいずれかに取り付けられるヒータと、前記結露センサからの結露検知信号が結露を示しているとき、前記ヒータを発熱させる制御手段とを備えたことを特徴としている。
【００１２】
請求項６では、請求項５に記載のエレベータシステムにおいて、前記ヒータは、前記側板、天井およびガラスに内蔵されることを特徴としている。
【００１３】
請求項７では、かご室に冷房装置を備えたエレベータシステムにおいて、前記かご室外に設けられる結露センサと、この結露センサからの結露検知信号が結露を示しているとき、昇降路内に設置された除湿装置を運転させる制御手段とを備えたことを特徴としている。
【発明の効果】
【００１４】
本発明によれば、かご室の側面などに結露が発生したとき、かご室を冷房している冷房装置を停止、または送風運転に切替えて、結露を解消することができる。
【００１５】
また、昇降路内の湿度が高くなり、結露が発生したとき、昇降路に設けられた排気装置、吸気装置などの運転を開始して、昇降路内の湿度を下げ、かご室外の結露を解消することができる。
【００１６】
また、かご室外で結露が生じたとき、昇降路内の最も結露が発生していない階（最も湿度が低い階）にかご室を待機運転させて、かご室外の結露を解消することができる。
【００１７】
また、かご室の周囲にある空気が滞留して、かご室外で結露が生じたとき、かご室を自動昇降運転させて、かご室外の結露を解消することができる。
【００１８】
また、かご室の側板などに結露が発生したとき、結露水を強制的に蒸散させて、かご室内外の結露を解消することができる。
【００１９】
また、かご室の意匠を損なうことなく、かご室を構成している側板、天井、ガラスなどの結露を解消することができる。
【００２０】
また、かご室の側板などに結露を発生したとき、昇降路内の湿度を下げて、かご室の側板などに発生した結露を解消することができる。
【発明を実施するための最良の形態】
【００２１】
《第１の実施形態》
図１は本発明によるエレベータシステムの第１の実施形態を示す構成図である。
【００２２】
この図に示すエレベータシステム１ａでは、エレベータのかご室に冷房装置２が設置され、そのかご室の所定箇所、例えば側板に、結露センサ３が取付けられている。結露センサ３には、例えば樹脂とカーボンとの分散体からなる感湿材を挟んで一対の電極を設けられ、感湿材への結露水の付着による電極間の抵抗低下を利用して検知するものを採用した。この結露センサ３により、かご室内または室外での結露状態が検知され、検知内容を示す検知信号がエレベータ制御装置４ａの結露検出回路５ａに供給される。
【００２３】
結露検出回路５ａは、図２のフローチャートに示すように、予め閾値レベルが設定され、検知信号の信号レベルが閾値レベルを超えたとき、結露が発生した、または結露が発生する恐れがあると判断し（ステップＳ１）、結露検出信号を結露対応回路６ａに供給する。
【００２４】
これにより、結露対応回路６ａは、冷房停止信号を出力し、冷房装置２を停止、または送風運転に切替え（ステップＳ２）、結露検出回路５ａから結露検出信号が出力されなったとき（ステップＳ３）、冷房装置２を通常運転に復帰させる（ステップＳ４）。
【００２５】
このように、第１の実施形態では、かご室の側板などに、結露センサ３を取付け、かご室の側面などに結露が発生したとき、結露センサ３からの検知信号を取り込んでいる結露検出回路５ａによって、これを検出して、結露対応回路６ａを動作させ、冷房装置２を停止、または送風運転に切替えるようにしているので、かご室の側面などに結露が発生したとき、冷房装置２を停止、または送風運転に切替えて、かご室の側面などの結露を解消することができる。
【００２６】
《第２の実施形態》
図３は本発明によるエレベータシステムの第２の実施形態を示す構成図である。
【００２７】
この図に示すエレベータシステム１ｂでは、エレベータのかご室に冷房装置が設置され、かご室外の所定箇所、例えばガラスの昇降路面側、および昇降路外に、結露センサ３が各々、取付られている。そして、ガラスの昇降路面側に取り付けられた結露センサ３により、かご室外のガラスの結露状態が検知され、検知内容を示す検知信号がエレベータ制御装置４ｂの結露検出回路５ｂに供給される。一方、昇降路外に取付られた結露センサ３により結露状態（空気の湿度状態）が検知され、検知内容を示す検知信号が、エレベータ制御装置４ｂの結露検出回路５ｂに供給される。
【００２８】
結露検出回路５ｂは、予め閾値レベルが設定され、ガラスの昇降路面側に取り付けられた結露センサ３から出力される検知信号の信号レベルと、昇降路外に設けられた結露センサ３から供給される検知信号の信号レベルとの差が閾値を超えているときに、結露検出信号を結露対応回路６ｂに供給する。
【００２９】
これにより、結露対応回路６ｂは、昇降路に設けられた排気装置８を動作させて、昇降路内の湿った空気を外に排出させるとともに、昇降路に設けられた吸気装置７を動作させて、昇降路内に乾いた外気を取り入れ、昇降路内の結露を解消する。
【００３０】
このように、第２の実施形態では、かご室外の所定箇所、例えばガラスの昇降路面側に設けられた結露センサ３から出力される検知信号の信号レベルと、ガラスの昇降路外に設けられた結露センサ３から出力される検知信号の信号レベルとの差が予め設定された閾値レベルを超えているとき、結露検出回路５ｂがこれを検出して、結露対応回路６ｂを動作させる。これにより、昇降路に設けられた排気装置８と、吸気装置７とが動作して、昇降路内の湿った空気を外に排出させるとともに、乾いた外気を取り入れる。
【００３１】
このため、昇降路内の湿度が高くなり、かご室の外側などに結露が発生したとき、昇降路に設けられた排気装置８、吸気装置７などの運転を開始させて、昇降路内の湿度を下げ、かご室外の結露を解消することができる。
【００３２】
《第３の実施形態》
図４は本発明によるエレベータシステムの第３の実施形態を示す構成図である。
【００３３】
この図に示すエレベータシステム１ｃでは、エレベータのかご室に冷房装置が設置され、かご室外の所定箇所、例えばガラスの昇降路面側にかご結露センサ９が取り付けられるとともに、昇降路内の下階から上階までのうち、数箇所に昇降路内結露センサ１０が各々、取付られている。そして、かご結露センサ９により、かご室外のガラスなどの結露状態が検知され、検知内容を示す検知信号がエレベータ制御装置４ｃの結露検出回路５ｃに供給される。一方、昇降路内の数箇所に設けられた各結露センサ１０により結露状態が検知され、検知内容を示す検知信号がエレベータ制御装置４ｃの結露検出回路１１に供給される。
【００３４】
結露検出回路５ｃは、予め閾値レベルが設定され、かご室外に取り付けられたかご結露センサ９から出力される結露検知信号の信号レベルが閾値レベルを超えたときに、結露検出信号を結露対応回路６ｃに供給する。
【００３５】
また、結露検出回路１１は、昇降路内の下階から上階までのうち、数箇所に設けられた各昇降路内結露センサ１０から出力される結露検知信号の信号レベルを各々、比較して最も信号レベルが小さい階（最も湿度が低い階）を示す待避階信号を結露対応回路６ｃに供給する。
【００３６】
結露対応回路６ｃは、結露検出回路５ｃから結露検出信号が出力されているとき、結露検出回路１１から出力される待避階信号に基づき、最も結露が発生していない階を判定するとともに、この判定結果に基づき、制御盤１２を制御し、巻上機１３を運転させ、最も結露が発生していない階まで、かご室を昇降させ、その階で待機させる。
【００３７】
このように、第３の実施形態では、かご室外に取り付けられたかご結露センサ９からの検知信号を監視している結露検出回路５ｃによって、かご室外で結露発生が検出されたとき、結露対応回路６ｄは、昇降路内に配置された各昇降路内結露センサ１０からの待避階信号を解析している結露検出回路１１の検出結果を取り込み、最も結露が発生していない階を判定する。そして、この判定結果に基づき、制御盤１２を制御して、巻上機１３を運転させ、最も結露が発生していない階まで、かご室を昇降させ、その階で待機させる。
【００３８】
このため、かご室外で結露が生じたとき、昇降路内の最も結露が発生していない階、すなわち、最も湿度が低い階にかご室を待機運転させて、かご室外の結露を解消することができる。
【００３９】
《第４の実施形態》
図５は本発明によるエレベータシステムの第４の実施形態を示す構成図である。
【００４０】
この図に示すエレベータシステム１ｄでは、エレベータのかご室に冷房装置が設置され、かご室外の所定箇所、例えばガラスの昇降路面側にかご結露センサ９が取り付けられるとともに、昇降路内の下階から上階までのうち、数箇所に昇降路内結露センサ１０が取付られている。そして、かご結露センサ９により、かご室外のガラスなどの結露状態が検知され、検知内容を示す検知信号がエレベータ制御装置４ｄの結露検出回路５ｃに供給される。一方、昇降路内の数箇所に設けられた各結露センサ１０により結露状態が検知され、検知内容を示す検知信号がエレベータ制御装置４ｄの結露検出回路１１に供給される。
【００４１】
結露検出回路５ｃは、予め閾値レベルが設定され、かご室外に取り付けられたかご結露センサ９から出力される結露検知信号の信号レベルが閾値レベルを超えたときに、結露検出信号を結露対応回路６ｄに供給する。
【００４２】
また、結露検出回路１１は、昇降路内の下階から上階までのうち、数箇所に設けられた各昇降路内結露センサ１０から出力される結露検知信号の信号レベルを各々、比較して最も信号レベルが小さい階（最も湿度が低い階）を示す待避階信号を結露対応回路６ｄに供給する。
【００４３】
結露対応回路６ｄは、結露検出回路５ｃから結露検出信号が出力されたとき、タイマ１４から検知信号が出力されているかどうかをチェックし、この検知信号が出力されていれば、制御盤１２によって巻上機１３が最後に駆動されたときから、予め設定されている一定時間が経過し、かご室の周囲にある空気が滞留していると判断する。そして、この判断結果に基づき、制御盤１２を制御して、巻上機１３の自動運転を開始させ、かご室の昇降動作で、かご室の周囲にある空気を撹拌させる。
【００４４】
また、タイマ１４から検知信号が出力されているかどうかをチェックしたとき、この検知信号が出力されていなければ、結露対応回路６ｄは、結露検出回路１１から出力される待避階信号で示される階を最も結露が発生していない階であると判定するとともに、この判定結果に基づき、制御盤１２を動作させて、巻上機１３を運転させ、最も結露が発生していない階まで、かご室を昇降させ、その階で待機させる。
【００４５】
このように、第４の実施形態では、かご室外に取り付けられたかご結露センサ９からの検知信号を監視している結露検出回路５ｃによって、結露が検出され、タイマ１４から検知信号が出力されているとき、結露対応回路６ｄによって、かご室の昇降が停止してから、予め設定されている一定時間が経過し、かご室の周囲にある空気が滞留していると判断させて、かご室の自動昇降運転を開始させ、かご室の周囲にある空気を撹拌させる。このため、かご室の周囲にある空気が滞留して、かご室外で結露が生じたとき、かご室を自動昇降運転させて、かご室外の結露を解消することができる。
【００４６】
《第５の実施形態》
図６は本発明によるエレベータシステムの第５の実施形態を示す構成図である。
【００４７】
この図に示すエレベータシステム１ｅでは、エレベータのかご室に、冷房装置が設置され、かご室の所定箇所、例えば側板に、結露センサ３が取付けられるとともに、かご室の所定箇所、例えば図７の正面図、図８に示す側面図に示すように、かご室１５の側板１６、天井１８、ガラス１９などにヒータ１７が埋め込まれている。そして、結露センサに３より、かご室を構成している側板１５などの結露状態が検知され、検知内容を示す検知信号がエレベータ制御装置４ｅの結露検出回路５ｅに供給される。
【００４８】
結露検出回路５ｅは、予め閾値レベルが設定され、かご室の側板などに取り付けられた結露センサ３から出力される結露検知信号の信号レベルが閾値レベルを超えたときに、結露検出信号を結露対応回路６ｅに供給する。
【００４９】
これにより、結露対応回路６ｅは、ヒータ運転信号を出力して、かご室に設けられた各ヒータ１７を発熱させ、結露水を蒸散させる。
【００５０】
このように、第５の実施形態では、かご室１５の側板１６などに、結露センサ９を取付け、かご室１５の側板１６などに結露が発生したとき、結露センサ９からの検知信号を取り込んでいる結露検出回路５ｅによって、これを検出させるとともに、結露対応回路６ｅによって、ヒータ１７を発熱させ、側板１６などに付いた結露水を蒸散させる。このため、かご室１５の側板１６などに結露が発生したとき、結露水を強制的に蒸散させて、結露を解消することができる。
【００５１】
また、この第５の実施形態では、かご室１５の側板１６、天井１８、ガラス１９などにヒータ１７を埋め込んでいるので、かご室１５の意匠を損なうことなく、結露を解消することができる。
【００５２】
《第６の実施形態》
図９は本発明によるエレベータシステムの第６の実施形態を示す構成図である。
【００５３】
この図に示すエレベータシステム１ｆでは、エレベータのかご室に、冷房装置が設置され、かご室内外の所定箇所、例えば側板などに、結露センサ３が取付けられるとともに、昇降路内に除湿装置２０が設置されている。そして、結露センサ３により、かご室を構成する側板などの結露状態が検知され、検知内容を示す検知信号がエレベータ制御装置４ｆの結露検出回路５ｆに供給される。
【００５４】
結露検出回路５ｆは、予め閾値レベルが設定され、かご室の側板などに取り付けられた結露センサ３から出力される結露検知信号の信号レベルが閾値レベルを超えたときに、結露検出信号を結露対応回路６ｆに供給する。
【００５５】
これにより、結露対応回路６ｆは、除湿装置運転信号を出力して、昇降路内に設けられた除湿装置２０の運転を開始させて、昇降路内の湿度を下げ、結露を解消する。
【００５６】
このように、第６の実施形態では、そのかご室の側板などに、結露センサ３を取付け、かご室の側面などに結露が発生したとき、結露センサ３からの検知信号を取り込んでいる結露検出回路５ｆによって、これを検出して、結露対応回路６ｆを動作させ、昇降路内に設けられた除湿装置２０の運転を開始させる。このため、かご室の側板などに結露が発生したとき、昇降路内に設置された除湿装置２０を運転して、昇降路内の湿度を下げ、かご室の側板などに発生した結露を解消することができる。
【図面の簡単な説明】
【００５７】
【図１】本発明によるエレベータシステムの第１の実施形態を示す構成図。
【図２】図１に示すエレベータ制御装置の動作例を示すフローチャート。
【図３】本発明によるエレベータシステムの第２の実施形態を示す構成図。
【図４】本発明によるエレベータシステムの第３の実施形態を示す構成図。
【図５】本発明によるエレベータシステムの第４の実施形態を示す構成図。
【図６】本発明によるエレベータシステムの第５の実施形態を示す構成図。
【図７】図６に示すヒータの設置例を示すかご室の正面図。
【図８】図６に示すヒータの設置例を示すかご室の側面図。
【図９】本発明によるエレベータシステムの第６の実施形態を示す構成図。
【符号の説明】
【００５８】
１ａ〜１ｆ：エレベータシステム
２：冷房装置
３：結露センサ
４ａ〜４ｆ：エレベータ制御装置
５ａ〜５ｆ：結露検出回路
６ａ〜６ｆ：結露対応回路
７：吸気装置
８：排気装置
９：かご結露センサ
１０：昇降路内結露センサ
１１：結露検出回路
１２：制御盤
１３：巻上機
１４：タイマ
１５：かご室
１６：側板
１７：ヒータ
１８：天井
１９：ガラス
２０：除湿装置
【図１】
2007076826.tif 000003
【図２】
2007076826.tif 000004
【図３】
2007076826.tif 000005
【図４】
2007076826.tif 000006
【図５】
2007076826.tif 000007
【図６】
2007076826.tif 000008
【図７】
2007076826.tif 000009
【図８】
2007076826.tif 000010
【図９】
2007076826.tif 000011